(57)【要約】  Ｅ−ＡＧＣＨ（Enhanced Dedicated CHannel (E-DCH) Absolute Grant CHannel）送信を復号化するための無線通信の方法および装置が開示される。無線送受信ユニット（Wireless Transmit/Receive Unit：ＷＴＲＵ）は、巡回冗長検査（Cyclic Redundancy Check：ＣＲＣ）部分およびデータ部分を含むＥ−ＡＧＣＨデータを受信する。ＣＲＣ部分は、ノードＢにてＷＴＲＵの識別子（IDentity：ＩＤ）によりマスクされる。ＣＲＣ部分およびデータ部分は、分離（demultiplex）され、かつＣＲＣ部分はＷＴＲＵ  ＩＤによりデマスク（demask）される。次に、デマスクされたＣＲＣ部分についてＣＲＣが実行される。ＣＲＣがパスすると、データ部分は拡張アップリンク（Enhanced Uplink：ＥＵ）メディアアクセス制御（EU Medium Access Control：ＭＡＣ−ｅ）エンティティに送られる。ＷＴＲＵ  ＩＤは、一次的Ｅ−ＲＮＴＩ（E-DCH Radio Network Temporary Identifier：Ｅ−ＤＣＨ無線ネットワーク一次識別子）または二次的Ｅ−ＲＮＴＩであることができる。Ｅ−ＡＧＣＨデータがｌ０ｍｓフレーム上で送信される場合には、ＣＲＣがパスしないと、引き続くサブフレームを介するＥ−ＡＧＣＨデータを、前のＥ−ＡＧＣＨデータとソフト結合することができる。
2009506723.tif 000002
【特許請求の範囲】
【請求項１】
無線送受信ユニット（Wireless Transmit/Receive Unit：ＷＴＲＵ）、および該ＷＴＲＵへＥ−ＡＧＣＨ（Enhanced Dedicated CHannel (E-DCH) Absolute Grant CHannel）を介してレート許可を送るノードＢを含む無線通信システムにおいて、該Ｅ−ＡＧＣＨを介して受信したＥ−ＡＧＣＨ送信を復号化する方法であって、
（ａ）巡回冗長検査（Cyclic Redundancy Check：ＣＲＣ）部分であって、ノードＢにてＷＴＲＵ識別子（IDentity：ＩＤ）によりマスクされるＣＲＣ部分およびデータ部分を含むＥ−ＡＧＣＨデータを該Ｅ−ＡＧＣＨを介して受信するステップ、
（ｂ）前記受信したＥ−ＡＧＣＨデータを前記ＣＲＣ部分および前記データ部分に分離するステップ、
（ｃ）前記ＣＲＣ部分を前記ＷＴＲＵ  ＩＤによりデマスクするステップ、
（ｄ）前記データ部分および前記デマスクされたＣＲＣ部分についてＣＲＣを実行するステップ、および
（ｅ）前記ＣＲＣがパスした場合、前記データ部分を拡張アップリンクメディアアクセス制御（enhanced uplink Medium Access Control：ＭＡＣ−ｅ）エンティティに送るステップ
を備えたことを特徴とする方法。
【請求項２】
前記ＷＴＲＵ  ＩＤが、Ｅ−ＲＮＴＩ（E-DCH Radio Network Temporary Identifier：Ｅ−ＤＣＨ無線ネットワーク一次識別子）であることを特徴とする請求項１に記載の方法。
【請求項３】
前記ＷＴＲＵ  ＩＤが、一次的Ｅ−ＲＮＴＩおよび二次的Ｅ−ＲＮＴＩの何れかであることを特徴とする請求項２に記載の方法。
【請求項４】
前記ＣＲＣがパスしなかった場合、前記ＷＴＲＵ  ＩＤを切り換えるステップ、および
前記ステップ（ｃ）〜（ｅ）を繰り返すステップ
をさらに備えたことを特徴とする請求項３に記載の方法。
【請求項５】
前記ＣＲＣが、先ず前記一次的Ｅ−ＲＮＴＩにより実行されることを特徴とする請求項４に記載の方法。
【請求項６】
前記ＣＲＣは、前のＥ−ＡＧＣＨデータについてＣＲＣがパスした前記一次的Ｅ−ＲＮＴＩおよび前記二次的Ｅ−ＲＮＴＩの何れかにより、実行されることを特徴とする請求項４に記載の方法。
【請求項７】
前記レート許可は、２ｍｓサブフレームにおいて送信されることを特徴とする請求項１に記載の方法。
【請求項８】
前記レート許可は、５つの２ｍｓサブフレームを含む１０ｍｓフレームにおいて送信されることを特徴とする請求項１に記載の方法。
【請求項９】
前記レート許可は、前記１０ｍｓフレームに対して５回繰り返されることを特徴とする請求項８に記載の方法。
【請求項１０】
（ｆ）前記ＣＲＣがパスしなかった場合、引き続くサブフレームにおいて引き続くＥ−ＡＧＣＨデータを受信するステップ、
（ｇ）前記引き続くＥ−ＡＧＣＨデータを前のサブフレームにおいて受信した該Ｅ−ＡＧＣＨデータとソフト結合するステップ、および
前記（ｈ）（ｂ）〜（ｇ）のステップを前記ＣＲＣがパスするまで繰り返すステップ
をさらに備えたことを特徴とする請求項９に記載の方法。
【請求項１１】
前記引き続くＥ−ＡＧＣＨデータに重み係数を掛けるステップ
をさらに備えたことを特徴とする請求項１０に記載の方法。
【請求項１２】
前記引き続くサブフレームについて信号対雑音比（Signal-to-Noise Ratio：ＳＮＲ）を推定し、それにより前記重み係数が該ＳＮＲに基づき決定されるステップ
をさらに備えたことを特徴とする請求項１１に記載の方法。
【請求項１３】
前記ＣＲＣ部分および前記ＷＴＲＵ  ＩＤは、それぞれ長さ１６ビットであることを特徴とする請求項１に記載の方法。
【請求項１４】
前記ＣＲＣがパスした場合、前記データ部分の無線回線群（Radio Link Set：ＲＬＳ）マクロ結合動作を実行するステップ
をさらに備えたことを特徴とする請求項１に記載の方法。
【請求項１５】
レート許可をＥ−ＡＧＣＨ（Enhanced Dedicated CHannel (E-DCH) Absolute Grant CHannel）を介して送るノードＢから、該Ｅ−ＡＧＣＨを介して受信した伝送データ（ｔｒａｎｓｍｉｓｓｉｏｎｓ）を復号化する無線送受信ユニット（Wireless Transmit/Receive Unit：ＷＴＲＵ）ＷＴＲＵであって、
前記Ｅ−ＡＧＣＨを介して、前記ノードＢによってＷＴＲＵ識別子（IDentity：ＩＤ）によりマスクされた巡回冗長検査（Cyclic Redundancy Check：ＣＲＣ）部分およびデータ部分を含むＥ−ＡＧＣＨデータを受信する受信機、
前記受信したＥ−ＡＧＣＨデータを前記ＣＲＣ部分および前記データ部分に分離する分離機構、
前記ＣＲＣ部分を前記ＷＴＲＵ  ＩＤによりデマスクするデマスク動作ユニット、
前記デマスクされたＣＲＣ部分により前記データ部分についてＣＲＣを実行するＣＲＣユニット、および
前記ＣＲＣがパスした場合、前記データ部分を拡張アップリンクメディアアクセス制御（enhanced uplink Medium Access Control：ＭＡＣ−ｅ）エンティティに送るように構成された制御装置、
を備えたことを特徴とするＷＴＲＵ。
【請求項１６】
前記ＷＴＲＵ  ＩＤは、Ｅ−ＲＮＴＩ（E-DCH Radio Network Temporary Identifier：Ｅ−ＤＣＨ無線ネットワーク一次識別子）であることを特徴とする請求項１６に記載のＷＴＲＵ。
【請求項１７】
前記ＷＴＲＵ  ＩＤは、一次的Ｅ−ＲＮＴＩおよび二次的Ｅ−ＲＮＴＩの何れかであることを特徴とする請求項１６に記載のＷＴＲＵ。
【請求項１８】
前記一次的Ｅ−ＲＮＴＩおよび前記二次的Ｅ−ＲＮＴＩの間で前記Ｅ−ＲＮＴＩを切り換えるスイッチであって、該一次的Ｅ−ＲＮＴＩおよび該二次的Ｅ−ＲＮＴＩの何れかにより前記ＣＲＣがパスしなかった場合、前記Ｅ−ＲＮＴＩを切り換えることにより、前記切り換えられたＥ−ＲＮＴＩにより前記デマスク動作ユニットが前記ＣＲＣ部分をデマスクするスイッチ
をさらに備えたことを特徴とする請求項１７に記載のＷＴＲＵ。
【請求項１９】
前記ＣＲＣユニットは、先ず前記一次的Ｅ−ＲＮＴＩにより前記ＣＲＣを実行することを特徴とする請求項１８に記載のＷＴＲＵ。
【請求項２０】
前記ＣＲＣユニットは、前のＥ−ＡＧＣＨデータについてＣＲＣがパスした前記一次的Ｅ−ＲＮＴＩおよび前記二次的Ｅ−ＲＮＴＩの何れかにより、前記ＣＲＣを実行することを特徴とする請求項１８に記載のＷＴＲＵ。
【請求項２１】
前記レート許可は、２ｍｓサブフレームにおいて送信されることを特徴とする請求項１５に記載のＷＴＲＵ。
【請求項２２】
前記レート許可は、５つの２ｍｓサブフレームを備えた１０ｍｓフレームにおいて送信されること、を特徴とする請求項１５に記載のＷＴＲＵ。
【請求項２３】
前記レート許可は、前記１０ｍｓフレームに対して５回繰り返されることを特徴とする請求項２２に記載のＷＴＲＵ。
【請求項２４】
前記引き続くＥ−ＡＧＣＨデータを前のサブフレームにおいて受信した前記Ｅ−ＡＧＣＨデータとソフト結合するソフト結合機構であって、それにより前記ＣＲＣがパスしなかった場合、前記受信機が引き続くサブフレームにおいて引き続くＥ−ＡＧＣＨデータを受信し、かつ結合されたＥ−ＡＧＣＨデータを前記分離機構によって離すソフト結合機構
をさらに備えたことを特徴とする請求項２３に記載のＷＴＲＵ。
【請求項２５】
重み係数を発生させるための重み係数発生機構、および
前記引き続くＥ−ＡＧＣＨデータに前記重み係数を掛けるための乗算機構
をさらに備えたことを特徴とする請求項２４に記載のＷＴＲＵ。
【請求項２６】
前記引き続くサブフレームについての信号対雑音比（Signal-to-Noise Ratio：ＳＮＲ）を推定し、それにより前記重み係数発生機構が該ＳＮＲに基づき前記重み係数を発生させるＳＮＲ推定機構
をさらに備えたことを特徴とする請求項２５に記載のＷＴＲＵ。
【請求項２７】
前記ＣＲＣ部分および前記ＷＴＲＵ  ＩＤは、それぞれ長さ１６ビットであることを特徴とする請求項１５に記載のＷＴＲＵ。
【請求項２８】
前記データ部分のマクロ結合を実行する無線回線群（Radio Link Set：ＲＬＳ）マクロ結合機構をさらに備えたことを特徴とする請求項１５に記載のＷＴＲＵ。
【請求項２９】
請求項１５に記載のＷＴＲＵの、前記受信機、前記分離機構、前記デマスク動作ユニット、前記ＣＲＣユニット、および前記制御装置を備えたことを特徴とする集積回路（Integrated Circuit：ＩＣ）。
【発明の詳細な説明】
【技術分野】
【０００１】
本発明は、無線送受信ユニット（Wireless Transmit/Receive Unit：ＷＴＲＵ）およびノードＢ（Node-B）を含む無線通信システムに関する。本発明はより詳細には、Ｅ−ＡＧＣＨ（Enhanced Dedicated CHannel (E-DCH) Absolute Grant CHannel）送信を復号化するための無線通信の方法および装置に関する。
【背景技術】
【０００２】
拡張アップリンク（Enhanced Uplink：ＥＵ）は第３世代パートナーシップ・プロジェクト（3rd Generation Partnership Project：３ＧＰＰ）の周波数分割複信（Frequency Division Duplex：ＦＤＤ）システムにおける主要な特徴の１つである。ＥＵは、５．７６Ｍｂｐｓの最大データ速度を提供する。ＥＵ送信を支援するためにいくつかの下り回線の物理チャンネルが提供される。下り回線チャンネルの１つがＥ−ＡＧＣＨである。
【０００３】
図１は、従来のＥＵを支援する無線通信システム１００のブロック図である。システム１００は、ＷＴＲＵ１０２、ノードＢ１０４、および無線ネットワーク制御装置（Radio Network Controller：ＲＮＣ）１０６を備える。ＲＮＣ１０６は、初期送信電力レベル、ノードＢあたりの許容最大送信電力または使用可能チャンネル資源などのノードＢ１０４およびＷＴＲＵ１０２についてのＥ−ＤＣＨパラメータを構成することによって、総合的にＥ−ＤＣＨ動作を制御する。ＷＴＲＵ１０２およびノードＢ１０４の間では、Ｅ−ＤＣＨ１０８、Ｅ−ＤＣＨ個別物理制御チャンネル（E-DCH Dedicated Physical Control CHannel：Ｅ−ＤＰＣＣＨ）１１０、Ｅ−ＡＧＣＨ１１２、Ｅ−ＲＧＣＨ（E-DCH Relative Grant CHannel）１１４、およびＥ−ＤＣＨハイブリッド自動再送要求（Hybrid Automatic Repeat Request：Ｈ−ＡＲＱ）表示チャンネル（E-DCH H-ARQ Indicator channel：Ｅ−ＨＩＣＨ）１１６が、Ｅ−ＤＣＨ動作を支援するために確立される。
【０００４】
Ｅ−ＤＣＨ送信に対してＷＴＲＵ１０２は、無線リソース制御（Radio Resource Control：ＲＲＣ）が決定する論理チャンネルを求める、報告動作が為されることが必要であるとの、スケジューリング要求（速度要求としてもまた知られる）をＥ−ＤＣＨ１０８を介してノードＢ１０４に送る。スケジューリング要求は、スケジューリング情報およびハッピー・ビットの形態で送信される。ハッピー・ビットは、Ｅ−ＤＰＣＣＨ１１０が送信されるときは常に、Ｅ−ＤＰＣＣＨ１１０を介して送信される。ノードＢ１０４は、Ｅ−ＡＧＣＨ１１２またはＥ−ＲＧＣＨ１１４を介してスケジューリング許可をＷＴＲＵ１０２に送る。ＷＴＲＵ１０２に対してＥ−ＤＣＨ無線リソースが割り付けられた後に、ＷＴＲＵ１０２はＥ−ＤＣＨ１０８を介してデータを送信する。Ｅ−ＤＣＨ送信に対応して、ノードＢ１０４はＥ−ＨＩＣＨ１１６を介してＨ−ＡＲＱ動作に対する肯定応答（ACKnowledgement：ＡＣＫ）または否定応答（Non-ACKnowledgement：ＮＡＣＫ）のメッセージを送信する。
【発明の開示】
【発明が解決しようとする課題】
【０００５】
Ｅ−ＡＧＣＨ１１２は、ＥＵにおいて迅速なスケジューリングを実行するための非常に重要なチャンネルである。Ｅ−ＡＧＣＨ１１２は、ＷＴＲＵ１０２に対する最大電力比の形でスケジューリング許可を伝達する。最大電力比は、個別物理制御チャンネル（Dedicated Physical Control CHannel：ＤＰＣＣＨ）（図１には示されない）に対するＥ−ＤＣＨ個別物理データ・チャンネル（E-DCH Dedicated Physical Data CHannel：Ｅ−ＤＰＤＣＨ）の電力比により与えられる。さらにＥ−ＡＧＣＨ１１２はまた、Ｈ−ＡＲＱ処理の単一または全てのどちらかの起動または停止を表示して、Ｈ−ＡＲＱ処理を起動または停止するために使用される起動フラグを伝達する。
【０００６】
Ｅ−ＡＧＣＨ１１２は、Ｅ−ＲＮＴＩ（E-DCH Radio Network Temporary Identifier：Ｅ−ＤＣＨ無線ネットワーク一次識別子）と共に送信される。現在の３ＧＰＰ規格の下では、ＷＴＲＵ１０２に対して一度に２つのＥ−ＲＮＴＩを構成することができる。１つは一次的Ｅ−ＲＮＴＩであり、もう１つは二次的Ｅ−ＲＮＴＩである。一度には、１つのＥ−ＲＮＴＩのみしか送信することができない。構成される場合、ＷＴＲＵ１０２は両方のＥ−ＲＮＴＩを監視しなければ場合ない。Ｅ−ＡＧＣＨ１１２の復号化は、構成される場合、両方のＥ−ＲＮＴＩに対して実行されねば場合ない。Ｅ−ＡＧＣＨ１１２の復号化の成否は、ＥＵの性能に著しく影響する。したがって、Ｅ−ＡＧＣＨ１１２を復号化するための信頼できる方法を提供することが望まれる。
【課題を解決するための手段】
【０００７】
本発明は、Ｅ−ＡＧＣＨ送信を復号化するための無線通信の方法および装置に関する。ＷＴＲＵは、巡回冗長検査（Cyclic Redundancy Check：ＣＲＣ）部分およびデータ部分を含むＥ−ＡＧＣＨデータを受信する。ＣＲＣ部分は、ノードＢにてＷＴＲＵの識別子（IDentity：ＩＤ）によりマスクされる。ＣＲＣ部分およびデータ部分は、分離（demultiplex）され、かつＣＲＣ部分はＷＴＲＵ  ＩＤによりデマスク（demask）される。次に、デマスクされたＣＲＣ部分についてＣＲＣが実行される。ＣＲＣが通ると、データ部分はＥＵメディアアクセス制御（EU Medium Access Control：ＭＡＣ−ｅ）エンティティに送られる。ＷＴＲＵ  ＩＤは、一次的Ｅ−ＲＮＴＩまたは二次的Ｅ−ＲＮＴＩとすることができる。Ｅ−ＡＧＣＨデータがｌ０ｍｓフレーム上で送信される場合、ＣＲＣがパスしないときは、引き続くサブフレームを介するＥ−ＡＧＣＨデータを、前のＥ−ＡＧＣＨデータとソフト結合することができる。
【０００８】
一例の、添付図面に関連して理解される以下の記述から、本発明のより詳細な理解を得ることができる。
【発明を実施するための最良の形態】
【０００９】
用語「ＷＴＲＵ」は以降、限定するものではないが、ユーザ設備（User Equipment：ＵＥ）、移動端末、固定または移動体の加入者ユニット、ページャ、または無線環境において動作する能力のある他の型のいかなるデバイスをも含むものとする。用語「ノードＢ」は以降、限定するものではないが、基地局、サイト制御装置、アクセス・ポイント、または無線環境における他の型のいかなるインタフェース・デバイスをも含むものとする。
【００１０】
本発明の特徴は、集積回路（Integrated Circuit：ＩＣ）に組み込み、または多数の相互接続された部品を具備する回路にて構成することができる。本発明は、特定用途向ＩＣ（Application Specific Integrated Circuit：ＡＳＩＣ）、および／またはデジタル信号処理（Digital Signal Processing：ＤＳＰ）の形で、ソフトウェアまたはハードウェアとして実装することができる。
【００１１】
図２は、本発明による、受信チップ速度処理動作が実行された後に、Ｅ−ＡＧＣＨを復号化するためのＷＴＲＵの復号化チェーン２００のブロック図である。復号化チェーン２００は、デレート（de-rate）マッチングユニット２０２、ビタビ（Viterbi）復号器２０４、およびＷＴＲＵ  ＩＤ用ＣＲＣユニット２０６を備える。受信チップ速度処理装置（図示せず）によって復元された入力シーケンス２０１は、デレートマッチングユニット２０２に送られる。入力シーケンス２０１は、受信チップ速度処理動作が実行された後に取得されたＥ−ＡＧＣＨサブフレームにおけるソフト・ビットのシーケンスである。復号化チェーン２００は、サブフレーム単位（すなわち２ｍｓ）で動作する。
【００１２】
デレートマッチングユニット２０２は、入力シーケンス２０１に対しデレートマッチングを実行し、デレートマッチングシーケンス２０３を取得する。デレートマッチングは、ノードＢにおいて実行されるレートマッチング処理の逆処理である。デレートマッチングシーケンス２０３は、畳み込み復号化（convolutional decoding）のためビタビ復号器２０４に送られ、その結果ビットシーケンス２０５が得られる。ビットシーケンス２０５は、ＣＲＣを実行するためＷＴＲＵ  ＩＤ用ＣＲＣユニット２０６に送られる。
【００１３】
ビットシーケンス２０５は、データ部分（すなわち絶対許可（absolute grant）情報）、およびＣＲＣ部分を含む。ノードＢにおいて、データ部分に１６ビットのＣＲＣが付加され、さらに２つのＷＴＲＵ  ＩＤ（すなわち一次的Ｅ−ＲＮＴＩ２０８または二次的Ｅ−ＲＮＴＩ２０９）の何れかによりＣＲＣがマスクされる。マスク動作はＣＲＣ部分およびＷＴＲＵ  ＩＤとのモジュロ２加算により実行される。ＣＲＣ部分をマスクするために、どのＩＤが使用されたかはＷＴＲＵには分からない。したがってＷＴＲＵ  ＩＤ用ＣＲＣユニット２０６は、各々の受信されたＥ−ＡＧＣＨ送信に対して一次的Ｅ−ＲＮＴＩ２０８と二次的Ｅ−ＲＮＴＩ２０９の両方によりＣＲＣを実行する。ＣＲＣがパスした場合、そのデータ部分はＭＡＣ−ｅエンティティ（図示せず）に、またはマクロ結合動作のための無線回線群（Radio Link Set：ＲＬＳ）マクロ結合機構に送られる。ＣＲＣがパスしなかった場合、そのデータ部分を廃棄するか、または引き続く送信と結合するためにメモリ中に格納することができる。
【００１４】
図３は、図２の復号化チェーン２００のＷＴＲＵ  ＩＤ用ＣＲＣユニット２０６のブロック図である。ＷＴＲＵ  ＩＤ用ＣＲＣユニット２０６は、分離機構３０２、スイッチ３０４、デマスク動作ユニット３０６、ＣＲＣユニット３０８、および制御装置３１０を含む。ビットシーケンス２０５は、分離機構３０２に送られる。上に述べられたようにビットシーケンス２０５は、データ部分３０３ａおよびＣＲＣ部分３０３ｂを含む。データ部分３０３ａおよびＣＲＣ部分３０３ｂは、分離機構３０２によって分離され、ＣＲＣ部分３０３ｂはデマスク動作ユニット３０６に送られ、そしてデータ部分３０３ａはＣＲＣユニット３０８および制御装置３１０に送られる。デマスク動作ユニット３０６は、ＷＴＲＵ  ＩＤの１つ（すなわち一次的Ｅ−ＲＮＴＩ２０８または二次的Ｅ−ＲＮＴＩ２０９）によりＣＲＣ部分３０３ｂについてデマスク動作を実行する。一次的Ｅ−ＲＮＴＩ２０８または二次的Ｅ−ＲＮＴＩ２０９は、制御装置３１０の制御下においてスイッチ３０４を介してデマスク動作ユニット３０６に送られる。
【００１５】
デマスクされたＣＲＣ部分３０７は、ＣＲＣユニット３０８に送られる。ＣＲＣユニット３０８は、データ部分３０３ａおよびデマスクされたＣＲＣ部分３０７についてＣＲＣを実行し、そしてパス成功／失敗信号３０９を制御装置３１０へ送る。ＣＲＣがパスした場合、制御装置３１０はデータ部分３０３ａをＭＡＣ−ｅエンティティ（図示せず）に（またはＲＬＳマクロ結合機構に）送る。ＣＲＣがパスしなかった場合、制御装置３１０は、制御信号３１１をスイッチ３０４に送り、ＷＴＲＵ  ＩＤを切り換えて、デマスク動作ユニット３０６が他方のＷＴＲＵ  ＩＤによりＣＲＣ部分３０３ａをデマスクし、そしてデマスクされたＣＲＣ部分３０７（他方のＷＴＲＵ  ＩＤによりデマスク）およびデータ部分３０３ａについて第２のＣＲＣがＣＲＣユニット３０８により実行される。第２のＣＲＣがまたパスしなかった場合、そのデータ部分３０３ａは廃棄されるときがある。
【００１６】
ノードＢでのマスク動作に対してどのＷＴＲＵ  ＩＤが使用されたかはＷＴＲＵには分からないため、ＷＴＲＵは一次的Ｅ−ＲＮＴＩ２０８と二次的Ｅ−ＲＮＴＩ２０９の両方に対して検査する必要がある。ＷＴＲＵは、初めに一次的Ｅ−ＲＮＴＩ２０８から開始することができる。あるいはまたＷＴＲＵは、Ｅ−ＡＧＣＨ１１２の成功した最後の復号化においてＣＲＣがパスしたものを使用することができる。
【００１７】
図４は、本発明の一実施形態による、Ｅ−ＡＧＣＨ１１２を復号化するための処理４００のフローチャートである。Ｅ−ＡＧＣＨデータを受信する（ステップ４０２）。受信したＥ−ＡＧＣＨデータは、ＣＲＣ部分およびデータ部分に分離される（ステップ４０４）。ＣＲＣ部分は、ＷＴＲＵ  ＩＤによりデマスクされる（ステップ４０６）。データ部分およびデマスクされたＣＲＣ部分についてＣＲＣが実行される（ステップ４０８）。次に、ＣＲＣがパスしたか否かが判定される（ステップ４１０）。ＣＲＣがパスした場合、データ部分がＭＡＣ−ｅエンティティに送られる（ステップ４１２）。ＣＲＣがパスしなかった場合、すべてのＷＴＲＵ  ＩＤが検査されたか否かが判定される（ステップ４１４）。諾であれば、処理４００は終了する。否であれば、ＷＴＲＵ  ＩＤが他方のＷＴＲＵ  ＩＤに切り換えられ（ステップ４１６）、そして処理４００はステップ４０６に戻る。
【００１８】
現在の３ＧＰＰ規格の下においては、絶対許可情報は、Ｅ−ＤＣＨ送信時間間隔（Transmission Time Interval：ＴＴＩ）に依り、１つのＥ−ＡＧＣＨサブフレーム（２ｍｓ）または１つのＥ−ＡＧＣＨフレーム（１０ｍｓ）の何れかにより送信される。Ｅ−ＤＣＨ  ＴＴＩが１０ｍｓに等しいときには、ＷＴＲＵに対する絶対許可情報は、同一のｌ０ｍｓフレームにおけるすべての２ｍｓサブフレーム上で同一のＥ−ＡＧＣＨビットのシーケンス（１つのサブフレームあたり６０ビット）が繰り返されるように、同一のｌ０ｍｓのＥ−ＡＧＣＨ中のすべての２ｍｓサブフレームにおいて繰り返される。
【００１９】
ＷＴＲＵがＥ−ＡＧＣＨサブフレームｊにおいて受信したデータの復号化に成功（ＣＲＣ誤りなし）した場合、次にデータ部分がＭＡＣ−ｅエンティティに分配され、そして処理を停止する（ＷＴＲＵが不要に処理することを回避するように）。しかしながら、両方のＷＴＲＵ  ＩＤに対してＥ−ＡＧＣＨデータを復号化することにＷＴＲＵが失敗した場合、ＷＴＲＵは以下の２つの選択肢を有する。
【００２０】
第１の選択肢によると、ＷＴＲＵは各２ｍｓサブフレームのＥ−ＡＧＣＨデータを独立して復号化できる。サブフレームｊにおける誤ったＥ−ＡＧＣＨデータは廃棄され、そして上述のようにＷＴＲＵは、同一のｌ０ｍｓ無線フレームのサブフレームｊ＋１において受信したＥ−ＡＧＣＨデータを新たに処理する。
【００２１】
第２の選択肢によるとＷＴＲＵは、前の２ｍｓサブフレームにおいて受信したＥ−ＡＧＣＨデータと、同一のｌ０ｍｓ無線フレームの現在の２ｍｓサブフレームにおいて受信したＥ−ＡＧＣＨデータとをソフト結合することができる。１０ｍｓＥ−ＤＣＨ  ＴＴＩに対する同一のＥ−ＡＧＣＨフレームの２ｍｓサブフレームのすべてにより同一のシーケンスの絶対許可データを送信するため、ＷＴＲＵは、同一ｌ０ｍｓ無線フレームの前のＥ−ＡＧＣＨの２ｍｓサブフレーム（群）において受信したシーケンス（群）との、２ｍｓサブフレームｊ＋１において受信されたＥ−ＡＧＣＨビットのシーケンスのソフト結合動作（復号化前にビットごとに結合すること）を実行することができる。ここでｊ＝１、２、３、４である。随意的に、個々の２ｍｓサブフレームに対して重み係数を適用することができる。重み係数は、対応する２ｍｓサブフレームにおけるＥ−ＡＧＣＨの信号対干渉比（Signal-to-Interference Ratio：ＳＩＲ）の関数として決定することができる。
【００２２】
図５は、本発明の別の実施形態による、Ｅ−ＡＧＣＨ復号化の処理５００のフローチャートである。Ｅ−ＡＧＣＨデータを受信する（ステップ５０２）。受信したＥ−ＡＧＣＨデータは、ＣＲＣ部分およびデータ部分に分離される（ステップ５０４）。ＣＲＣ部分は、ＷＴＲＵ  ＩＤによりデマスクされる（ステップ５０６）。データ部分およびデマスクされたＣＲＣ部分についてＣＲＣが実行される（ステップ５０８）。次に、ＣＲＣがパスしたか否かが判定される（ステップ５１０）。ＣＲＣがパスした場合、データ部分がＭＡＣ−ｅエンティティに送られる（ステップ５１２）。上述のように、片方のＷＴＲＵ  ＩＤについてＣＲＣがパスしなかった場合、他方のＷＴＲＵ  ＩＤについて同一の処理が繰り返されるように、２つのＷＴＲＵ  ＩＤを用いてＣＲＣ処理を実行することができる。すべてのＷＴＲＵ  ＩＤについてＣＲＣが失敗した場合、引き続くＥ−ＡＧＣＨデータを引き続くサブフレームにおいて受信する（ステップ５１４）。その引き続くＥ−ＡＧＣＨデータは、前のサブフレームにおいて受信したデータとソフト結合することができる（ステップ５１６）。そして処理５００はステップ５０４に戻る。
【００２３】
（実施態様）
１．ＷＴＲＵ、および該ＷＴＲＵへＥ−ＡＧＣＨを介してレート許可を送るノードＢを含む無線通信システムにおいて、該Ｅ−ＡＧＣＨを介して受信された送信データを復号化する方法。
【００２４】
２．Ｅ−ＡＧＣＨデータを前記Ｅ−ＡＧＣＨを介して受信するステップを備えた実施態様１に記載の方法であって、前記Ｅ−ＡＧＣＨデータがＣＲＣ部分およびデータ部分を含み、前記ＣＲＣ部分がノードＢにてＷＴＲＵ  ＩＤによりマスクされること。
【００２５】
３．前記受信されたＥ−ＡＧＣＨデータを前記ＣＲＣ部分および前記データ部分に分離するステップを備えた実施態様２に記載の方法。
【００２６】
４．前記ＣＲＣ部分を前記ＷＴＲＵ  ＩＤによりデマスクするステップを備えた実施態様３に記載の方法。
【００２７】
５．前記データ部分および前記デマスクされたＣＲＣ部分についてＣＲＣを実行するステップを備えた実施態様４に記載の方法。
【００２８】
６．前記ＣＲＣがパスした場合前記データ部分をＭＡＣ−ｅエンティティに送るステップを備えた実施態様５に記載の方法。
【００２９】
７．前記ＷＴＲＵ  ＩＤがＥ−ＲＮＴＩである、実施態様４〜６の何れかに記載の方法。
【００３０】
８．前記ＷＴＲＵ  ＩＤが、一次的Ｅ−ＲＮＴＩおよび二次的Ｅ−ＲＮＴＩの何れかである実施態様４〜７の何れかに記載の方法。
【００３１】
９．前記ＣＲＣがパスしなかった場合、前記ＷＴＲＵ  ＩＤを切り換えるステップを備えた実施態様８に記載の方法
１０．実施態様４〜６のステップを繰り返すステップを備えた実施態様９に記載の方法
１１．前記ＣＲＣが先ず前記一次的Ｅ−ＲＮＴＩにより実行される実施態様８〜１０の何れかに記載の方法。
【００３２】
１２．前のＥ−ＡＧＣＨデータに対してＣＲＣがパスした前記一次的Ｅ−ＲＮＴＩおよび前記二次的Ｅ−ＲＮＴＩの何れかにより、前記ＣＲＣが実行される、実施態様８〜１０の何れかに記載の方法。
【００３３】
１３．前記レート許可が、２ｍｓサブフレームにおいて送信される、実施態様１〜１２の何れかに記載の方法。
【００３４】
１４．前記レート許可が、５つの２ｍｓサブフレームを備えた１０ｍｓフレームにおいて送信される、実施態様１〜１２の何れかに記載の方法。
【００３５】
１５．前記レート許可が前記１０ｍｓフレームに対して５回繰り返される実施態様１４に記載の方法。
【００３６】
１６．前記ＣＲＣがパスしなかった場合、引き続くサブフレームにおいて引き続くＥ−ＡＧＣＨデータを受信するステップを備えた実施態様５〜１５の何れかに記載の方法。
【００３７】
１７．前記引き続くＥ−ＡＧＣＨデータを前のサブフレームにおいて受信された前記Ｅ−ＡＧＣＨデータとソフト結合するステップを備えた実施態様１６に記載の方法。
【００３８】
１８．実施態様２〜５および１６〜ｌ７に記載のステップを前記ＣＲＣがパスするまで繰り返すステップを備えた実施態様１７に記載の方法。
【００３９】
１９．前記引き続くＥ−ＡＧＣＨデータに重み係数を掛けるステップを備えた実施態様１８に記載の方法。
【００４０】
２０．前記引き続くサブフレームについてＳＮＲを推定するステップを備えた実施態様１９に記載の方法であって、それにより前記重み係数が前記ＳＮＲに基づき決定されること。
【００４１】
２１．前記ＣＲＣ部分および前記ＷＴＲＵ  ＩＤがそれぞれ長さ１６ビットである実施態様２〜２０の何れかに記載の方法。
【００４２】
２２．前記ＣＲＣがパスした場合前記データ部分のＲＬＳマクロ結合動作を実行するステップを備えた実施態様５〜２１の何れかに記載の方法。
【００４３】
２３．レート許可をＥ−ＡＧＣＨを介してＷＴＲＵに送るノードＢから、前記Ｅ−ＡＧＣＨを介して受信されたＥ−ＡＧＣＨ送信を復号化するためのＷＴＲＵ。
【００４４】
２４．前記Ｅ−ＡＧＣＨを介してＥ−ＡＧＣＨデータを受信するための受信機を備えた実施態様２３に記載のＷＴＲＵであって、前記Ｅ−ＡＧＣＨデータがＣＲＣ部分およびデータ部分を含み、前記ＣＲＣ部分が前記ノードＢによってＷＴＲＵ  ＩＤによりマスクされること。
【００４５】
２５．前記受信されたＥ−ＡＧＣＨデータを前記ＣＲＣ部分および前記データ部分に分離するための分離機構を備えた実施態様２４に記載のＷＴＲＵ。
【００４６】
２６．前記ＣＲＣ部分を前記ＷＴＲＵ  ＩＤによりデマスクするためのデマスク動作ユニットを備えた、実施態様２５に記載のＷＴＲＵ。
【００４７】
２７．前記デマスクされたＣＲＣ部分により前記データ部分についてＣＲＣを実行するためのＣＲＣユニットを備えた実施態様２６に記載のＷＴＲＵ。
【００４８】
２８．前記ＣＲＣがパスした場合、前記データ部分をＭＡＣ−ｅエンティティに送るように構成された制御装置を備えた実施態様２７に記載のＷＴＲＵ。
【００４９】
２９．前記ＷＴＲＵ  ＩＤがＥ−ＲＮＴＩである実施態様２６〜２８の何れかに記載のＷＴＲＵ。
【００５０】
３０．前記ＷＴＲＵ  ＩＤが、一次的Ｅ−ＲＮＴＩおよび二次的Ｅ−ＲＮＴＩの何れかである実施態様２６〜２９の何れかに記載のＷＴＲＵ。
【００５１】
３１．前記一次的Ｅ−ＲＮＴＩおよび前記二次的Ｅ−ＲＮＴＩの間で前記Ｅ−ＲＮＴＩを切り換えるためのスイッチを備えた実施態様３０に記載のＷＴＲＵであって、それにより前記一次的Ｅ−ＲＮＴＩおよび前記二次的Ｅ−ＲＮＴＩの何れかにより前記ＣＲＣがパスしなかった場合、前記切り換えられたＥ−ＲＮＴＩにより前記デマスク動作ユニットが前記ＣＲＣ部分をデマスクすること。
【００５２】
３２．前記ＣＲＣユニットが、先ず前記一次的Ｅ−ＲＮＴＩにより前記ＣＲＣを実行する実施態様３１に記載のＷＴＲＵ。
【００５３】
３３．前のＥ−ＡＧＣＨデータに対してＣＲＣがパスした前記一次的Ｅ−ＲＮＴＩおよび前記二次的Ｅ−ＲＮＴＩの何れかにより、前記ＣＲＣユニットが前記ＣＲＣを実行する実施態様３１に記載のＷＴＲＵ。
【００５４】
３４．前記レート許可が、２ｍｓサブフレームにおいて送信される実施態様２３〜３３の何れかに記載のＷＴＲＵ。
【００５５】
３５．前記レート許可が、５つの２ｍｓサブフレームを備えた１０ｍｓフレームにおいて送信される実施態様２３〜３３の何れかに記載のＷＴＲＵ。
【００５６】
３６．前記レート許可が前記１０ｍｓフレームに対して５回繰り返される実施態様３５に記載のＷＴＲＵ。
【００５７】
３７．前記引き続くＥ−ＡＧＣＨデータを前のサブフレームにおいて受信された前記Ｅ−ＡＧＣＨデータとソフト結合するためのソフト結合機構を備えた実施態様２７〜３６の何れかに記載のＷＴＲＵであって、それにより前記ＣＲＣがパスしなかった場合、前記受信機が引き続くサブフレームにおいて引き続くＥ−ＡＧＣＨデータを受信し、かつ結合されたＥ−ＡＧＣＨデータが前記分離機構によって分離されること。
【００５８】
３８．重み係数を発生させるための重み係数発生機構を備えた実施態様３７に記載のＷＴＲＵ。
【００５９】
３９．前記引き続くＥ−ＡＧＣＨデータに前記重み係数を掛けるための乗算機構を備えた実施態様３８に記載のＷＴＲＵ。
【００６０】
４０．前記引き続くサブフレームについてのＳＮＲを推定するためのＳＮＲ推定機構を備えた、実施態様３８〜３９の何れかに記載のＷＴＲＵであって、それにより前記重み係数発生機構が前記ＳＮＲに基づき前記重み係数を発生させること。
【００６１】
４１．前記ＣＲＣ部分および前記ＷＴＲＵ  ＩＤがそれぞれ長さ１６ビットである実施態様２４〜４０の何れかに記載のＷＴＲＵ。
【００６２】
４２．前記データ部分のマクロ結合を実行するためのＲＬＳマクロ結合機構を備えた実施態様２４〜４１の何れかに記載のＷＴＲＵ。
【００６３】
４３．実施態様２４〜４２の何れかに記載の前記受信機を備えたＩＣ。
【００６４】
４４．実施態様２５〜４２の何れかに記載の前記分離機構を備えた実施態様４３に記載のＩＣ。
【００６５】
４５．実施態様２６〜４２の何れかに記載の前記デマスク動作ユニットを備えた実施態様４３〜４４の何れかに記載のＩＣ。
【００６６】
４６．実施態様２７〜４２の何れかに記載の前記ＣＲＣユニットを備えた実施態様４３〜４５の何れかに記載のＩＣ。
【００６７】
４７．実施態様２８〜４２の何れかに記載の前記制御装置を備えた実施態様４３〜４６の何れかに記載のＩＣ。
【００６８】
本発明の特徴および要素が好適な実施態様において特定の組み合わせにて記述されているが、それぞれの特徴または要素は、好適な実施態様の他の特徴および要素なしで単独で、または本発明の他の特徴および要素のあるなしにかかわらず、様々な組み合わせにて使用可能である。
【図面の簡単な説明】
【００６９】
【図１】従来の無線通信システムのブロック図である。
【図２】本発明による、受信チップ速度処理動作が実行された後に、Ｅ−ＡＧＣＨを復号化するためのＷＴＲＵの復号化チェーンのブロック図である。
【図３】図２の復号化チェーンにおけるＷＴＲＵ  ＩＤ用ＣＲＣユニットのブロック図である。
【図４】本発明の一実施形態による、Ｅ−ＡＧＣＨ復号化のための処理のフローチャートである。
【図５】本発明の別の実施形態による、Ｅ−ＡＧＣＨ復号化のための処理のフローチャートである。
【図１】
2009506723.tif 000003
【図２】
2009506723.tif 000004
【図３】
2009506723.tif 000005
【図４】
2009506723.tif 000006
【図５】
2009506723.tif 000007
【国際調査報告】
2009506723.tif 000008
2009506723.tif 000009